【手続補正書】
【提出日】平成20年10月9日(2008.10.9)
【手続補正１】
【補正対象書類名】明細書
【補正対象項目名】発明の名称
【補正方法】変更
【補正の内容】
【発明の名称】表示装置
【手続補正２】
【補正対象書類名】明細書
【補正対象項目名】特許請求の範囲
【補正方法】変更
【補正の内容】
【特許請求の範囲】
【請求項１】
絶縁体上に設けられた半導体層と、
前記半導体層上に設けられた第１の絶縁膜と、
前記第１の絶縁膜上に設けられた、少なくとも２つのゲート配線と、
前記２つのゲート配線と同一の面上に設けられたソース配線と、
前記２つのゲート配線と同一の面上に設けられ、前記第１の絶縁膜を介して前記半導体層と重なるゲート電極を含むドレイン配線と、
前記２つのゲート配線と、前記ソース配線と、前記ドレイン配線との上に設けられた第２の絶縁膜と、
前記第２の絶縁膜上に設けられ、前記２つのゲート配線を電気的に接続する接続配線と、
前記接続配線と同一の面上に設けられ、前記半導体層と電気的に接続する画素電極と、
を有することを特徴とする表示装置。
【請求項２】
請求項１において、
前記接続配線は、前記ソース配線と交差することを特徴とする表示装置。
【請求項３】
請求項１又は請求項２において、
前記接続配線及び前記画素電極は、透明導電膜を用いて設けられることを特徴とする表示装置。
【請求項４】
請求項１乃至請求項３のいずれか一項において、
前記２つのゲート配線と、前記ソース配線と、前記ドレイン配線とは、タンタル、タングステン、モリブデン、ニオブ、もしくはチタンのうちいずれかの金属、前記金属の窒化物、又は前記金属を組み合わせた合金を用いて設けられることを特徴とする表示装置。
【請求項５】
絶縁体上に設けられた半導体層と、
前記半導体層上に設けられた第１の絶縁膜と、
前記第１の絶縁膜上に設けられた、少なくとも２つのゲート配線と、
前記２つのゲート配線と同一の面上に設けられた、ソース配線及び電流供給線と、
前記２つのゲート配線と同一の面上に設けられ、前記第１の絶縁膜を介して前記半導体層と重なるゲート電極を含むドレイン配線と、
前記２つのゲート配線と、前記ソース配線と、前記ドレイン配線と、前記電流供給線との上に設けられた第２の絶縁膜と、
前記第２の絶縁膜上に設けられ、前記２つのゲート配線を電気的に接続する第１の接続配線と、
前記第１の接続配線と同一の面上に設けられ、前記半導体層の第１の領域と前記電流供給線とを電気的に接続する第２の接続配線と、
前記第１の接続配線と同一の面上に設けられ、前記半導体層の第２の領域と電気的に接続する画素電極と、を有することを特徴とする表示装置。
【請求項６】
請求項５において、
前記第１の接続配線と、前記第２の接続配線と、前記画素電極とは、透明導電膜を用いて設けられることを特徴とする表示装置。
【請求項７】
絶縁体上に設けられた半導体層と、
前記半導体層上に設けられた第１の絶縁膜と、
前記第１の絶縁膜上に設けられた、少なくとも２つのゲート配線と、
前記２つのゲート配線と同一の面上に設けられた、ソース配線及び電流供給線と、
前記２つのゲート配線と、前記ソース配線と、前記電流供給線との上に設けられた第２の絶縁膜と、
前記第２の絶縁膜上に設けられ、前記２つのゲート配線を電気的に接続する第１の接続配線と、
前記第１の接続配線と同一の面上に設けられ、前記半導体層と前記ソース配線とを電気的に接続する第２の接続配線と、を有することを特徴とする表示装置。
【請求項８】
請求項７において、
前記第１の接続配線及び前記第２の接続配線は、透明導電膜を用いて設けられることを特徴とする表示装置。
【請求項９】
請求項７又は請求項８において、
前記２つのゲート配線と、前記ソース配線と、前記電流供給線とは、タンタル、タングステン、モリブデン、ニオブ、もしくはチタンのうちいずれかの金属、前記金属の窒化物、又は前記金属を組み合わせた合金を用いて設けられることを特徴とする表示装置。
【請求項１０】
絶縁体上に設けられた半導体層と、
前記半導体層上に設けられた第１の絶縁膜と、
前記第１の絶縁膜上に設けられた、少なくとも２つのゲート配線と、
前記２つのゲート配線と同一の面上に設けられた、ソース配線と、電流供給線と、ドレイン配線と、
前記２つのゲート配線と、前記ソース配線と、前記電流供給線と、前記ドレイン配線との上に設けられた第２の絶縁膜と、
前記第２の絶縁膜上に設けられ、前記２つのゲート配線を電気的に接続する第１の接続配線と、
前記第１の接続配線と同一の面上に設けられ、前記半導体層の第１の領域と前記ソース配線とを電気的に接続する第２の接続配線と、
前記第１の接続配線と同一の面上に設けられ、前記半導体層の第２の領域と前記ドレイン配線とを電気的に接続する第３の接続配線と、を有することを特徴とする表示装置。
【請求項１１】
請求項１０において、
前記第１の接続配線と、前記第２の接続配線と、前記第３の接続配線とは、透明導電膜を用いて設けられることを特徴とする表示装置。
【請求項１２】
請求項７乃至請求項１１のいずれか一項において、
前記２つのゲート配線の一方は、前記第１の絶縁膜を介して前記半導体層と重なるゲート電極を含むことを特徴とする表示装置。
【請求項１３】
絶縁体上に設けられた、第１の半導体層及び第２の半導体層と、
前記第１の半導体層及び前記第２の半導体層上に設けられた第１の絶縁膜と、
前記第１の絶縁膜上に設けられた、少なくとも２つのゲート配線と、
前記２つのゲート配線と同一の面上に設けられた、ソース配線及び電流供給線と、
前記２つのゲート配線と同一の面上に設けられ、前記第１の絶縁膜を介して前記第１の半導体層と重なるゲート電極を含むドレイン配線と、
前記２つのゲート配線と、前記ソース配線と、前記ドレイン配線と、前記電流供給線との上に設けられた第２の絶縁膜と、
前記第２の絶縁膜上に設けられ、前記２つのゲート配線を電気的に接続する第１の接続配線と、
前記第１の接続配線と同一の面上に設けられ、前記第２の半導体層の第１の領域と前記ソース配線とを電気的に接続する第２の接続配線と、
前記第１の接続配線と同一の面上に設けられ、前記第２の半導体層の第２の領域と前記ドレイン配線とを電気的に接続する第３の接続配線と、
前記第１の接続配線と同一の面上に設けられ、前記第１の半導体層の第１の領域と前記電流供給線とを電気的に接続する第４の接続配線と、
前記第１の接続配線と同一の面上に設けられ、前記第２の半導体層の第２の領域と電気的に接続する画素電極と、を有することを特徴とする表示装置。
【請求項１４】
請求項１３において、
前記２つのゲート配線の一方は、前記第１の絶縁膜を介して前記第２の半導体層と重なるゲート電極を含むことを特徴とする表示装置。
【請求項１５】
請求項１３又は請求項１４において、
前記第１の接続配線と、前記第２の接続配線と、前記第３の接続配線と、前記第４の接続配線と、前記画素電極とは、透明導電膜を用いて設けられることを特徴とする表示装置。
【請求項１６】
請求項５、請求項６、請求項１０、請求項１１、請求項１３乃至請求項１５のいずれか一項において、
前記２つのゲート配線と、前記ソース配線と、前記ドレイン配線と、前記電流供給線とは、タンタル、タングステン、モリブデン、ニオブ、もしくはチタンのうちいずれかの金属、前記金属の窒化物、又は前記金属を組み合わせた合金を用いて設けられることを特徴とする表示装置。
【請求項１７】
請求項５乃至請求項１６のいずれか一項において、
前記第１の接続配線は、前記ソース配線又は前記電流供給線と交差することを特徴とする表示装置。
【請求項１８】
請求項１乃至請求項１７のいずれか一項において、
前記第２の絶縁膜は、有機樹脂膜を用いて設けられることを特徴とする表示装置。
【請求項１９】
請求項１乃至請求項１８のいずれか一項において、
前記表示装置を表示部に用いたことを特徴とする電気器具。
【請求項２０】
請求項１９に記載された電子機器とは、ディスプレイ、カメラ、画像再生装置、コンピュータ、又はプロジェクターであることを特徴とする電気器具。
【手続補正３】
【補正対象書類名】図面
【補正対象項目名】図７
【補正方法】変更
【補正の内容】
【図７】
2001318624.tif 000001